【手続補正書】
【提出日】平成22年7月13日(2010.7.13)
【手続補正１】
【補正対象書類名】特許請求の範囲
【補正対象項目名】全文
【補正方法】変更
【補正の内容】
【特許請求の範囲】
【請求項１】
撮影条件に関する設定項目の表示画面、および、前記設定項目の表示画面にて選択された設定項目に関する設定値の表示画面を表示する表示手段と、
前記設定項目の表示画面にていずれかの設定項目を選択するため、および、前記設定値の表示画面にていずれかの設定値を選択するための操作手段と、
前記設定値の表示画面にて選択された設定値にしたがって前記撮影条件を設定する制御手段と、を有し、
前記表示手段は、前記操作手段にて選択された設定項目に対して、選択状態であることを示す情報を表示し、
前記操作手段にて選択された設定項目が有効である状態から無効である状態に前記撮像装置の状態が変更した場合、
前記表示手段は、前記操作手段にて選択された設定項目が無効である状態であっても前記操作手段にて選択された設定項目に対して選択状態であることを示す情報の表示を継続し、
前記制御手段は、前記操作手段にて選択された設定項目に関する設定値の変更を禁止することを特徴とする撮像装置。
【請求項２】
前記表示手段は、前記操作手段にて選択された設定項目が有効である状態から無効である状態に前記撮像装置の状態が変更した場合、前記操作手段にて選択された設定項目に関する設定値の表示画面の表示形態を変更することを特徴とする請求項１に記載の撮像装置。
【請求項３】
前記表示手段は、前記操作手段にて選択された設定項目が有効である状態から無効である状態に前記撮像装置の状態が変更した場合、前記操作手段にて選択された設定項目の表示形態および前記操作手段にて選択された設定項目に対して表示される選択状態であることを示す情報の表示形態を変更させることなく、前記操作手段にて選択された設定項目に関する設定値の表示画面の表示形態を変更することを特徴とする請求項１に記載の撮像装置。
【請求項４】
前記表示手段は、前記操作手段にて選択された設定項目が有効である状態から無効である状態に前記撮像装置の状態が変更した場合、前記操作手段にて選択された設定項目に関する設定値の表示画面を表示する色を変更することを特徴とする請求項１ないし３のいずれか１項に記載の撮像装置。
【請求項５】
前記表示手段は、前記操作手段にて選択された設定項目が有効である状態から無効である状態に前記撮像装置の状態が変更した場合、前記操作手段にて選択された設定項目に関する設定値の表示画面の表示形態を変更し、前記操作手段にて選択された設定項目が無効である状態から有効である状態に前記撮像装置の状態が変更した場合、前記表示形態を変更した設定値の表示画面を変更前の表示形態にすることを特徴とする請求項１ないし３のいずれか１項に記載の撮像装置。
【請求項６】
前記表示手段は、前記設定値の表示画面にて選択された設定値に対して選択状態であることを示す情報を表示し、前記操作手段にて選択された設定項目が有効である状態から無効である状態に前記撮像装置の状態が変更した後に、再度前記操作手段にて選択された設定項目が有効である状態に前記撮像装置の状態が変更した場合、直前に選択された設定値に対して前記選択状態であることを示す情報を表示することを特徴とする請求項１ないし５のいずれか１項に記載の撮像装置。
【請求項７】
前記撮影条件に関する設定項目には、前記撮像装置に接続された外部閃光装置の設定を変更するための項目が含まれていて、前記外部閃光装置の電源がオンからオフに変更されることによって、前記外部閃光装置の設定を変更するための項目が有効である状態から無効である状態に前記撮像装置の状態が変更することを特徴とする請求項１ないし６のいずれか１項に記載の撮像装置。
【請求項８】
前記外部閃光装置の設定を変更するための項目に関する設定値が、前記外部閃光装置の調光補正の値、あるいは、前記外部閃光装置の固定発光量の値であることを特徴とする請求項７に記載の撮像装置。
【請求項９】
外部閃光装置が接続される撮像装置であって、
撮影条件に関する設定項目の表示画面、および、前記設定項目の表示画面から選択された設定項目に関する設定値の表示画面を表示する表示手段と、
前記設定項目の表示画面にていずれかの設定項目を選択するため、および、前記設定値の表示画面からいずれかの設定値を選択するための操作手段と、
前記設定値の表示画面にて選択された設定値にしたがって前記撮影条件を設定する制御手段と、を有し、
前記表示手段は、前記操作手段にて選択された設定項目に対して選択状態であることを示す情報を表示し、
前記操作手段にて選択された設定項目が接続された前記外部閃光装置の調光補正の値、あるいは、前記外部閃光装置の固定発光量の値設定値を変更するための項目であって、前記外部閃光装置の電源がオンからオフに変更された場合、
前記表示手段は、前記操作手段にて選択された設定項目の表示形態および前記操作手段にて選択された設定項目に対して表示される選択状態であることを示す情報の表示形態を変更させることなく、前記操作手段にて選択された設定項目に関する設定値の表示画面を表示する色を変更し、
前記制御手段は、前記操作手段にて選択された設定項目に関する設定値の変更を禁止することを特徴とする撮像装置。
【請求項１０】
撮影条件に関する設定項目の表示画面、および、前記設定項目の表示画面にて選択された設定項目に関する設定値の表示画面を表示する表示手段と、前記設定項目の表示画面にていずれかの設定項目を選択するため、および、前記設定値の表示画面にていずれかの設定値を選択するための操作手段と、前記設定値の表示画面にて選択された設定値にしたがって前記撮影条件を設定する制御手段とを有する撮像装置の制御方法であって、
前記表示手段に表示された前記設定項目の表示画面のうち、前記設定項目の表示画面にて選択された設定項目に対して選択状態であることを示す情報を表示する工程と、
前記操作手段にて選択された設定項目が有効である状態から無効である状態に前記撮像装置の状態が変更した場合、前記操作手段にて選択された設定項目が無効である状態であっても前記表示手段が前記操作手段にて選択された設定項目に対して選択状態であることを示す情報の表示を継続する工程と、
前記操作手段にて選択された設定項目が有効である状態から無効である状態に前記撮像装置の状態が変更した場合、前記制御手段が前記操作手段にて選択された設定項目に関する設定値の変更を禁止する工程と、を有することを特徴とする撮像装置の制御方法。
【手続補正２】
【補正対象書類名】明細書
【補正対象項目名】００１４
【補正方法】変更
【補正の内容】
【００１４】
上記課題を解決するため、本発明に係る撮像装置は、撮影条件に関する設定項目の表示画面、および、前記設定項目の表示画面にて選択された設定項目に関する設定値の表示画面を表示する表示手段と、前記設定項目の表示画面にていずれかの設定項目を選択するため、および、前記設定値の表示画面にていずれかの設定値を選択するための操作手段と、前記設定値の表示画面にて選択された設定値にしたがって前記撮影条件を設定する制御手段と、を有し、前記表示手段は、前記操作手段にて選択された設定項目に対して、選択状態であることを示す情報を表示し、前記操作手段にて選択された設定項目が有効である状態から無効である状態に前記撮像装置の状態が変更した場合、前記表示手段は、前記操作手段にて選択された設定項目が無効である状態であっても前記操作手段にて選択された設定項目に対して選択状態であることを示す情報の表示を継続し、前記制御手段は、前記操作手段にて選択された設定項目に関する設定値の変更を禁止することを特徴とする。
【手続補正３】
【補正対象書類名】明細書
【補正対象項目名】００１５
【補正方法】変更
【補正の内容】
【００１５】
また、上記課題を解決するため、本発明に係る撮像装置は、外部閃光装置が接続される撮像装置であって、撮影条件に関する設定項目の表示画面、および、前記設定項目の表示画面から選択された設定項目に関する設定値の表示画面を表示する表示手段と、前記設定項目の表示画面にていずれかの設定項目を選択するため、および、前記設定値の表示画面からいずれかの設定値を選択するための操作手段と、前記設定値の表示画面にて選択された設定値にしたがって前記撮影条件を設定する制御手段と、を有し、前記表示手段は、前記操作手段にて選択された設定項目に対して選択状態であることを示す情報を表示し、前記操作手段にて選択された設定項目が接続された前記外部閃光装置の調光補正の値、あるいは、前記外部閃光装置の固定発光量の値設定値を変更するための項目であって、前記外部閃光装置の電源がオンからオフに変更された場合、前記表示手段は、前記操作手段にて選択された設定項目の表示形態および前記操作手段にて選択された設定項目に対して表示される選択状態であることを示す情報の表示形態を変更させることなく、前記操作手段にて選択された設定項目に関する設定値の表示画面を表示する色を変更し、前記制御手段は、前記操作手段にて選択された設定項目に関する設定値の変更を禁止することを特徴とする。
【手続補正４】
【補正対象書類名】図面
【補正対象項目名】図４
【補正方法】変更
【補正の内容】
【図４】
2009044313.tif 000001
【手続補正５】
【補正対象書類名】図面
【補正対象項目名】図６
【補正方法】変更
【補正の内容】
【図６】
2009044313.tif 000002
【手続補正６】
【補正対象書類名】図面
【補正対象項目名】図７
【補正方法】変更
【補正の内容】
【図７】
2009044313.tif 000003